(57)【要約】【課題】カーナビゲーション用遮光フードについて、遮光が不要なときは邪魔にならないものとしながら、低コスト且つ簡易に表示画面の視認性を確保する。【解決手段】平板状シートを折り線１０ａ，１０ｂに沿って折り曲げることで立体的なフード状に形成されたものであって、表示画面の上方で主として下向きの日射を遮る略水平の上面板２と、表示画面のドライバーから遠い側の側方で主として横向きの日射を遮る略垂直の側面板３とが、折り線１０ａ，１０ｂを介し直角方向に接続されており、カーナビゲーション装置の表示画面上辺に沿う外周部に上面板２の基端側が、ドライバーから遠い側の表示画面側辺に沿う外周部に側面板３の基端側が、各々所定の固定手段により着脱自在に固定されることにより、上方及びドライバーから遠い側の側方から表示画面に射し込む日射を遮りながらドライバーの表示画面への視線を遮らない、ことを特徴とするものとした。【選択図】図１
2010269750.tif 000002
【特許請求の範囲】
【請求項１】
表示画面を備えて自動車のダッシュボード中央側に搭載したカーナビゲーション装置に装着され、前記表示画面への日射を遮ってその表示内容をドライバーが視認しやすくするためのカーナビゲーション用遮光フードにおいて、
面と面の境界線となる折り線を有した所定形状の平板状シートを前記折り線に沿って折り曲げることで立体的なフード状に形成されたものであって、前記表示画面の上方で主として下向きの日射を遮る略水平の上面板と、前記表示画面のドライバーから遠い側の側方で主として横向きの日射を遮る略垂直の側面板とが、前記折り線又は複数の前記折り線の間に形成された接続面を介し直角方向に接続されており、前記表示画面上辺に沿う外周部に前記上面板の基端側が、ドライバーから遠い側の前記表示画面側辺に沿う外周部に前記側面板の基端側が、各々所定の固定手段により着脱自在に固定されることにより、上方及びドライバーから遠い側の側方から前記表示画面に射し込む日射を遮りながらドライバーの前記表示画面への視線を遮らない、ことを特徴とするカーナビゲーション用遮光フード。
【請求項２】
前記側面板の前記表示画面に対する立ち上がり角度が６０〜８０度とされている、ことを特徴とする請求項１に記載したカーナビゲーション用遮光フード。
【請求項３】
前記上面板の形状が略三角形とされ、該上面板の１辺が前記側面板の上辺に対し前記折り線又は前記複数の折り線の間に形成された接続面を介し接続されている、ことを特徴とする請求項２に記載したカーナビゲーション用遮光フード。
【請求項４】
前記上面板及び前記側面板の水平方向の長径が、前記表示画面の横幅以上とされ、且つ、前記上面板のドライバー寄りの側辺端縁側がドライバーの前記表示画面に対する視線を妨げない形状に切り欠かれて湾曲している、ことを特徴とした請求項１，２または３に記載したカーナビゲーション用遮光フード。
【請求項５】
前記折り線は、前記シートに表面から所定深さで設けた溝又は切り込み線からなり、前記溝又は切り込み線に沿って隣接した２つの面が前記溝又は前記切り込み線を開く方向に屈曲された状態で前記カーナビゲーション装置に装着され、該カーナビゲーション装置から取り外して前記折り線部分の屈曲を戻すことで１枚の平板状シートになる、ことを特徴とした請求項１，２，３または４に記載したカーナビゲーション用遮光フード。
【請求項６】
前記上面板の基端側及び前記側面板の基端側には、所定幅の取付け代を構成する取付け板が前記折り線を介して設けられており、該取付け板と前記表示画面の外周部とが所定の固定手段により着脱自在に固定されて装着される、ことを特徴とする請求項１，２，３，４または５に記載したカーナビゲーション用遮光フード。
【請求項７】
前記固定手段は、前記取付け板と前記表示画面の外周部とに各々付設した対の面状ファスナからなる、ことを特徴とする請求項１，２，３，４，５または６に記載したカーナビゲーション用遮光フード。
【発明の詳細な説明】
【技術分野】
【０００１】
本発明は、カーナビゲーション用遮光フードに関し、殊に、カーナビゲーション装置の表示画面への日射を遮ることでドライバーが表示内容を明瞭に視認しやすくするカーナビゲーション用遮光フードに関する。  
【背景技術】
【０００２】
ＧＰＳ技術を応用したカーナビゲーション装置は近年広く普及しているが、メインのナビゲーション機能に加え、ワンセグを使用したテレビジョン視聴機能やＤＶＤ視聴機能等を備えたものも一般化しており、これらの高機能化に伴って表示画面も大型化の傾向にある。
【０００３】
表示画面が大型化すると、表示内容が大きくなって視認しやすくなる反面、太陽光が射し込む部分も大きくなるため、日中はその表示内容を明瞭に視認しにくくなるケースも多くなる。この太陽光の射し込みを防ぐために表示画面上方から庇状に突出させた遮光フードを設けることが考えられるが、遮光効果を確保するため突出量を大きくすると、不使用時に邪魔になったりドライバーの表示画面への視線を遮ったりすることになり、その突出量を小さくすると今度は遮光効果が不充分になってしまう。
【０００４】
この問題に対し、特開２００６―３３５１８２号公報に記載されているように、カーナビゲーション装置の表示画面に日照センサーを配置し、日照の状況に応じて、表示画面上方から前方に突設した可変式の遮光フードの突出量を、必要最小限の遮蔽面積に自動的に位置制御するようにした遮光装置が知られている。このように遮光フードの突出量を日射状況に応じて可変にすることで、遮光が不要なときは遮光フードが収納状態又は最小限の突出量に抑えられて邪魔になりにくいものとなる。
【０００５】
或いは、特開２００５―２２５０７号公報に記載されているように、カーナビゲーション装置表示画面の左右側に設けられた遮光部が、日射状況に応じ前方に突出して遮光機能を発揮し、遮光が不要になると突出部分が収納される遮光装置も知られており、通常時は邪魔にならず、側方から太陽光が射し込む場合には作動して表示画面の視認性を確保できるものとしている。
【０００６】
しかしながら、前者の遮光装置は、遮光フードの収納スペースを要して自動車のダッシュボードに一体的に設けられるものであり、既存の自動車に後付けで設けることが困難である。一方、後者の遮光装置は、遮光フードがテレスコープ式に伸縮する構成であって収納スペースを要さずに既存の自動車に後付けで設けることができるが、遮光フードの構成が複雑であることに加え、これを伸縮させるための駆動手段を要し、全体として部品点数が多い構成となっている。
【０００７】
また、上記２つの遮光装置に共通して、作動用の電源を使用するために使用者自身で取り付けることが困難であることに加え、遮光フードの位置を制御する制御手段と日射状況のデータを検出するセンサー等の高度な電子部品を要して全体的にコスト高となるため、広く普及しにくいものとなっている。
【先行技術文献】
【特許文献】
【０００８】
【特許文献１】特開２００６―３３５１８２号公報
【特許文献２】特開２００５―２２５０７号公報
【発明の概要】
【発明が解決しようとする課題】
【０００９】
本発明は、上記のような問題を解決しようとするものであり、カーナビゲーション用遮光フードについて、遮光が不要なときは邪魔にならないものとしながら、低コスト且つ簡易にドライバーによる表示画面の視認性を確保することを課題とする。
【課題を解決するための手段】
【００１０】
そこで、本発明は、表示画面を備えて自動車のダッシュボード中央側に搭載したカーナビゲーション装置に装着され、表示画面への日射を遮ってその表示内容をドライバーが視認しやすくするためのカーナビゲーション用遮光フードにおいて、面と面の境界線となる折り線を有した所定形状の平板状シートを折り線に沿って折り曲げることで立体的なフード状に形成されたものであって、表示画面の上方で主として下向きの日射を遮る略水平の上面板と、表示画面のドライバーから遠い側の側方で主として横向きの日射を遮る略垂直の側面板とが、折り線又は複数の折り線の間に形成された接続面を介し直角方向に接続されており、カーナビゲーション装置の表示画面上辺に沿う外周部に上面板の基端側が、ドライバーから遠い側の表示画面側辺に沿う外周部に側面板の基端側が、各々所定の固定手段により着脱自在に固定されることにより、上方及びドライバーから遠い側の側方から表示画面に射し込む日射を遮りながらドライバーの表示画面への視線を遮らない、ことを特徴とするものとした。
【００１１】
カーナビゲーション装置の表示画面を見にくくする要因としては、フロントガラスを介した上方からの日射よりもドアウィンドウを介した横向きの日射の方が問題となりやすく、特にドライバーから遠い側の側方から射し込む日射が表示画面に反射して表示内容を見にくくさせることが知られており、カーナビゲーション用遮光フードを、上方からの日射を遮ることに加えドライバーから遠い側の側方から表示画面に射し込む日射を遮る形状となるようにシート材を折り曲げて形成され、表示画面外周部に着脱自在に固定して装着するものとしたことにより、極めて簡易な構成で優れた遮光機能を発揮可能なものとなる。
【００１２】
また、このカーナビゲーション用遮光フードにおいて、その側面板の表示画面に対する立ち上がり角度が６０〜８０度とされたものとすれば、ドライバーからの視線を遮ることなくやや後方からの横向きの日射を充分に遮りやすいものとなり、この場合、その上面板の形状が略三角形とされ、その１辺が側面板の上辺に対し折り線又は複数の折り線の間に形成された接続面を介し接続されていることを特徴したものとすれば、最小限の部材でフードの立体的形状を安定させやすいものとなる。
【００１３】
さらに、上述したカーナビゲーション用遮光フードにおいて、その上面板及び側面板の水平方向の長径が表示画面の横幅以上とされ、且つ、その上面板のドライバー寄りの側辺端縁側がドライバーの表示画面に対する視線を妨げない形状に切り欠かれて湾曲している、ことを特徴としたものとすれば、表示画面の視認性を低下させる原因になる日射の殆どを遮ると同時に、表示画面に対するドライバーの視線を遮らないものとなる。
【００１４】
さらにまた、上述したカーナビゲーション用遮光フードにおいて、その折り線はシートに表面から所定深さで設けた溝又は切り込み線からなり、この溝又は切り込み線に沿って隣接した２つの面が溝又は切り込み線を開く方向に屈曲された状態でカーナビゲーション装置に装着され、カーナビゲーション装置から取り外して折り線部分の屈曲を戻すことで１枚の平板状シートになる、ことを特徴としたものとすれば、遮光が不要な時には取り外して容易に収納できるものとなる。
【００１５】
加えて、上述したカーナビゲーション用遮光フードにおいて、その上面板の基端側及び側面板の基端側には、所定幅の取付け代を構成する取付け板が折り線を介して設けられており、この取付け板と表示画面の外周部とが所定の固定手段により着脱自在に固定されて装着されるものとすれば、安定した固定状態を確保しやすいものとなる。
【００１６】
この場合、その固定手段は、取付け板と表示画面の外周部とに各々付設した対の面状ファスナからなるものとすれば、着脱作業が極めて容易なものとなり、遮光が不要な場合にはワンタッチで引き剥がして取り外すことができ、遮光が必要になったら運転中でも簡易に装着できるものとなる。
【発明の効果】
【００１７】
シートを折り曲げてフード状にしてカーナビゲーション装置に着脱自在に装着する簡易な構成とし、ドライバーの視線を遮ることなく上方及びドライバーから遠い側の側方から表示画面に射し込む日射を遮るものとした本発明によると、遮光が不要なときは邪魔にならないものとしながら、低コスト且つ簡易にドライバーによる表示画面の視認性を充分に確保できるものである。
【図面の簡単な説明】
【００１８】
【図１】本発明における実施の形態の斜視図。
【図２】図１のカーナビゲーション用遮光フードの展開図。
【図３】図１のカーナビゲーション用遮光フードをカーナビゲーション装置に装着した状態を示す正面図。
【図４】図１のカーナビゲーション用遮光フードをカーナビゲーション装置に装着した場合の、側方からの日射とドライバーの視線の状態を示す簡略化した平面図。
【図５】図１のカーナビゲーション用遮光フードを自動車ダッシュボード前面に搭載されたカーナビゲーション装置に装着した状態を示す斜視図。
【図６】図１のカーナビゲーション用遮光フードを自動車ダッシュボード上面に搭載されたカーナビゲーション装置に装着した状態を示す斜視図。
【図７】図１のカーナビゲーション用遮光フードの応用例として左ハンドル用にした場合の展開図。
【図８】図１のカーナビゲーション用遮光フードの他の応用例を示す展開図。
【発明を実施するための形態】
【００１９】
以下に、図面を参照しながら本発明を実施するための形態を説明する。
【００２０】
図１は、本実施の形態のカーナビゲーション用遮光フード１Ａの斜視図を示しており、一点鎖線による想像線はカーナビゲーション装置の表示画面及びその外周部を示している。カーナビゲーション用遮光フード１Ａは、加工の容易さ及びコストの低廉さの観点から、弾性変形能又は柔軟性を有したＰＶＣ等の樹脂シートを用いて製作することが推奨されるが、所定レベル以上の遮光性、形態維持力、耐久性を有するものである限り、厚紙を初めとして硬質樹脂板や金属薄板等を用いても実施することができる。
【００２１】
このカーナビゲーション用遮光フード１Ａは、１枚の平板状シートを所定形状にしたものを、折り線に沿って折り曲げることで立体的なフード状にしてカーナビゲーション装置の表示画面外周部に装着して使用するものであり、主として下向きの日射を遮る略水平の上面板２と、ドライバーから遠い側の側方で主として横向きの日射を遮る略垂直の側面板３とを備えている。そして、本実施の形態において、側面板３がドライバーから遠い側の側方からの日射を遮る位置に配設され、ドライバーに近い側の側方からの日射を遮る位置には配設されていない点を特徴としている。
【００２２】
図２は、カーナビゲーション用遮光フード１Ａの装着前の状態を示す展開図であるが、上面板２と側面板３とは、折り線１０ａ、接続面５、折り線１０ｂを介して柔軟に屈曲可能な状態とされており、取り外した状態で平板状にすることができるため、不使用時には１枚のシートにしてドアポケット等に入れておくことで邪魔になりにくくなるという特徴も有している。
【００２３】
図のように、上面板２は略三角形に形成され、側面板３は略四角形に形成されており、上面板２の１辺（斜辺）が側面板３の上辺と同一の長さとされて両者が折り線１０ａ、接続面５、折り線１０ｂを介して少なくとも直角に屈曲できるように接続されており、図１に示した装着状態において、想像線で示す側面板３の表示画面に対する立ち上がり角度が約７０度となるように構成されている。尚、この側面板３の立ち上がり角度は、６０〜８０度の範囲となるようにすることでドライバーからの視線を遮ることなくやや後方の側方からの日射も遮ることができる。
【００２４】
また、その折り線１０ａ，１０ｂは、使用材料が軟質の樹脂シートである場合は、その厚さの２分の１から５分の４程度の深さで表面から設けた溝又は切り込み線で形成することにより、その溝又は切り込み線を開く方向に容易に屈曲可能なものとなり、取り外し後はその溝又は切り込み線を閉じる方向の弾性復元力で比較的容易に平板状にすることができる。或いは、使用材料が硬質樹脂板や金属薄板の場合には、隣接した面と面をテープ材等の帯状接続手段で屈曲可能に接続することが考えられる。尚、本実施の形態において、上面板２と側面板３とは、紡錘形の接続板５を介して段階的な屈曲により直角になるように接続されているが、１本の折り線で接続したものであっても良い。
【００２５】
さらに、上面板２の基端側と側面板３の基端側には、所定幅の取付け代を構成する取付け板６，７が、折り線１１ａ，１１ｂを介して各々屈曲可能に設けられており、この取付け板６，７に対の面状ファスナの一方を構成する係合シート１１１，１１２が設けられており、図示しないカーナビゲーション装置の表示画面上辺の外周部及びドライバーから遠い表示画面側辺の外周部に設けられた面状ファスナの他方を構成する係合シートへの固定手段となっている。
【００２６】
尚、本発明のカーナビゲーション用遮光フードをカーナビゲーション装置表示画面の外周部に着脱自在に装着する固定手段としては、前述の面状ファスナの他に、凹部に凸部に嵌合する固定部材、互いに係止する構造を備えたホック、或いは両面テープ等が想定されるが、着脱自在性と装着時における所定レベルの固定力を確保できる限り、様々なものを用いることができる。
【００２７】
図３は、本実施の形態のカーナビゲーション用遮光フード１Ａをカーナビゲーション装置２０に装着した状態を示す正面図であるが、側面板３の表示画面２１に対する立ち上がり角度が約７０度とされたことにより、正面から見ると表示画面２１の約３分の１が遮られた状態となるものの、右ハンドル車のドライバーは表示画面２１を斜め右側から見るため、側面板３がその視線を遮ることはない。また、上面板２が表示画面２１に対し庇状に設けられていることで、破線矢印で示すフロントガラスを介した下向きの日射は充分に遮られる。
【００２８】
図４は、図３のカーナビゲーション用遮光フード１Ａとドライバーの位置関係を示す平面図である。前述したように、側面板３は一点鎖線で示すドライバーからの視線を遮らないが、破線で示すドライバーから遠い側のドアウィンドウを介した側方からの日射は側面板３により遮られる。
【００２９】
また、この側面板３は表示画面２１に対する立ち上がり角度が約７０度となっていることにより、やや後方寄りの側方からの日射も充分に遮ることができる。さらに、本実施の形態では、上面板２及び側面板２の水平方向の長径が表示画面２１の横幅よりもやや長くなっており、上方及び側方からの日射を遮る範囲が大きく確保されている。
【００３０】
図５は、カーナビゲーション用遮光フード１Ａを自動車のダッシュボード前面に搭載されたカーナビゲーション装置２０に装着した状態を示す斜視図であり、図６は、カーナビゲーション用遮光フード１Ａを自動車のダッシュボード上面に搭載されたカーナビゲーション装置３０に装着した状態を示す斜視図である。
【００３１】
これらの図面は、実際のドライバーによる視線よりも高い位置から見たものであるため、上面板２で表示画面２１の一部が遮られた状態となっているが、上面板２のドライバー寄りの側辺が湾曲して切り取られた形状となっているため、実際には表示画面２１の殆どがドライバーから視認できるようになっている。
【００３２】
したがって、このように簡易な構成によりコストが低廉なものであっても、やや後方からの日射も含む側方からの日射により、表示画面の表示内容をドライバーが視認しにくくなる問題を確実に回避できるものとなる。尚、ドライバー側のドアウィンドウを介した側方からの日射を遮る側面板は設けていないのは、これを設けるとドライバーからの表示画面２１への視線を遮ってしまうところ、この方向の日射は表示画面２１でドライバーから遠ざかる方向に反射されることから、視認性を悪化させにくいため殆ど問題にならないからである。
【００３３】
一方、日射が問題とならない曇天や夜などの状況においては、カーナビゲーション用遮光フード１Ａを把持して表示画面２１の外周部２２側から引き剥がすことで簡単に取り外され、弾性復元力により平板状になることから容易に収納されて邪魔にならないものとなる。また、遮光が必要な時には、ワンタッチで取り付けられて遮光機能を発揮するものとなる。
【００３４】
上述の説明において図示したカーナビゲーション用遮光フード１Ａは、総て右ハンドル用のものであるが、これを左ハンドル用にした図７のカーナビゲーション用遮光フード１Ｂは、上述のものとは左右対称の形状となる。また、例えば本発明を装着するカーナビゲーション装置がドライバーの視線に対し通常よりも低い位置に搭載されている場合は、ドライバーの表示画面に対する視線の下向き度合いが強くなり、上面板で表示画面への視線を遮ることになる。
【００３５】
このような場合には、図８に示すカーナビゲーション用遮光フード１Ｃのように、その上面板及び側面板の表示画面からの立ち上がり幅を上述のカーナビゲーション用遮光フード１Ａよりも短くするとともに、上面板のドライバー寄り側辺の切り込み形状をより大きくすることにより、視認性を確保しやすいものとなる。
【００３６】
以上、述べたように、カーナビゲーション用遮光フードについて、本発明により、遮光が不要なときは邪魔にならないものとしながら、低コストで簡易にドライバーによる表示画面の視認性を充分に確保できるようになった。
【符号の説明】
【００３７】
１Ａ，１Ｂ，１Ｃ  カーナビゲーション用遮光フード、２  上面板、３  側面板、５  接続板、６，７  取付け板、１０ａ，１０ｂ，１１ａ，１１ｂ  折り線、２０，３０  カーナビゲーション装置、２１  表示画面、２２  外周部、１１１，１１２  係合シート
【図１】
2010269750.tif 000003
【図２】
2010269750.tif 000004
【図３】
2010269750.tif 000005
【図４】
2010269750.tif 000006
【図５】
2010269750.tif 000007
【図６】
2010269750.tif 000008
【図７】
2010269750.tif 000009
【図８】
2010269750.tif 000010